(57)【特許請求の範囲】
【請求項１】
フロアレベルに形成された空調室に、箱型筐体と、前記箱型筐体の内部に設置されるファンと、前記ファンと床下に設置された床下ダクトとを繋ぐ下部継手と、前記下部継手に前記ファンを固定するための下部アダプタと、を備えた空調ユニットを設置する空調ユニットの施工方法において、
前記空調室の床面に形成された貫通孔に前記下部継手を挿入し、前記下部継手を前記床下ダクトに連結する下部継手設置工程と、
前記下部継手の上端部に、前記下部アダプタを取り付ける下部アダプタ設置工程と、
前記ファンを装着するためのファン用開口部が予め形成された前記箱型筐体の前面板を、前記下部アダプタの前端部に下向きに形成された鉤部が前記ファン用開口部を相対的に通過するように横移動させた後に、前記ファン用開口部の下端縁が前記鉤部に係止されるように上昇させる前面板設置工程と、
前記ファンを、前記ファン用開口部から挿入して前記下部アダプタに装着するファン装着工程と、を備えた
ことを特徴とする空調ユニットの施工方法。
【請求項２】
前記空調ユニットは、前記箱型筐体の内部に設けられた上側のファンと、上側の前記ファンと天井側に設置された天井側ダクトとを繋ぐ上部継手と、前記上部継手に上側の前記ファンを固定するための上部アダプタと、をさらに備え、
前記前面板の上端部に、貫通孔が形成された天板を設置する天板設置工程と、
天井側ダクトの先端部を、前記貫通孔から前記箱型筐体に挿入するとともに前記ファン用開口部の上側に形成された上側ファン用開口部から外側に引き出し、前記天井側ダクトの先端部に前記上部継手を連結するとともに前記上部継手に前記上部アダプタを取り付ける上部継手および上部アダプタ取付工程と、
前記天井側ダクトを引き上げて前記上部継手と前記上部アダプタとを前記箱型筐体内に引き込み、前記上部アダプタの前端部に上向きに形成された鉤部を、上側の前記ファン用開口部の上端縁に係止させて固定する上部アダプタ設置工程と、
上側の前記ファンを、前記上側ファン用開口部から挿入して前記上部アダプタに装着する上部ファン装着工程と、をさらに備えた
ことを特徴とする請求項１に記載の空調ユニットの施工方法。
【請求項３】
フロアレベルに形成された空調室に設置される空調ユニットにおいて、
箱型筐体と、前記箱型筐体の内部に設置されるファンと、前記ファンと床下に設置された床下ダクトを繋ぐ下部継手と、を備え、
前記箱型筐体の前面板は、前記ファンを装着するためのファン用開口部を有し、
前記下部継手は、前記空調室の床面に形成された貫通孔を貫通して前記床下ダクトに連結されており、
前記下部継手の上端部に、前記ファンを設置するための下部アダプタが取り付けられ、
前記下部アダプタの前端部には、下向きの鉤部が形成され、前記鉤部は前記ファン用開口部の下端縁に係止されており、
前記前面板の下端と前記空調室の床面との間には、スリットが形成されている
ことを特徴とする空調ユニット。
【請求項４】
前記箱型筐体の内部に設けられた上側のファンと、上側の前記ファンと天井側に設置された天井側ダクトを繋ぐ上部継手と、前記上部継手に上側の前記ファンを固定するための上部アダプタと、をさらに備え、
前記前面板は、前記ファン用開口部の上側に形成された上側ファン用開口部をさらに有し、
前記上部アダプタの前端部には、上向きの鉤部が形成され、上向きの前記鉤部は前記上側ファン用開口部の上端縁に係止されている
ことを特徴とする請求項３に記載の空調ユニット。
【請求項５】
請求項３または請求項４に記載の空調ユニットを複数備えた空調室であって、
前記前面板が互いに対向して平行となるように、前記箱型筐体が配置されている
ことを特徴とする空調室。
【発明の詳細な説明】
【技術分野】
【０００１】
本発明は、空調ユニットの施工方法、空調ユニットおよび空調室に関する。
【背景技術】
【０００２】
一つまたは複数の空調機を用いて建物全館の居室を空調する空調システムが知られている（例えば特許文献１参照）。この空調システムは、空調ユニットを備えた空調室をフロアレベルに設け、空調ユニットから各部屋に空調空気を供給するようになっている。空調ユニットは、箱型筐体と空調機とファンとダクトとを備えている。空調機本体は、空調室の壁に設置され、ファンは、空調室内に設置された箱型筐体に取り付けられている。空調室内の空調空気をファンで吸引して、ダクトを通して各部屋に送風するようになっている。これによって、各部屋が空調される。
【先行技術文献】
【特許文献】
【０００３】
【特許文献１】特開２０１６−９９０８７号公報
【発明の概要】
【発明が解決しようとする課題】
【０００４】
特許文献１の空調ユニットは、箱型筐体やファンの設置が大工工事で施工され、空調機やダクトの設置および各種配管が設備工事で施工される。かかる空調ユニットの施工においては、空調室が狭いうえに大工工事と設備工事とが入り混じるため、多大な施工手間と時間を要する問題があった。
【０００５】
そこで、本発明は、施工手間と時間を削減でき、施工性が良好である空調ユニットの施工方法、空調ユニットおよび空調室を提供することを課題とする。
【課題を解決するための手段】
【０００６】
前記課題を解決するための本発明は、フロアレベルに形成された空調室に、箱型筐体と、前記箱型筐体の内部に設置されるファンと、前記ファンと床下に設置された床下ダクトとを繋ぐ下部継手と、前記下部継手に前記ファンを固定するための下部アダプタと、を備えた空調ユニットを設置する空調ユニットの施工方法である。かかる空調ユニットの施工方法は、前記空調室の床面に形成された貫通孔に前記下部継手を挿入し、前記下部継手を前記床下ダクトに連結する下部継手設置工程と、前記下部継手の上端部に、前記下部アダプタを取り付ける下部アダプタ設置工程と、前記ファンを装着するためのファン用開口部が予め形成された前記箱型筐体の前面板を、前記下部アダプタの前端部に下向きに形成された鉤部が前記ファン用開口部を相対的に通過するように横移動させた後に、前記ファン用開口部の下端縁が前記鉤部に係止されるように上昇させる前面板設置工程と、前記ファンを、前記ファン用開口部から挿入して前記下部アダプタに装着するファン装着工程と、を備えたことを特徴とする。
【０００７】
本発明の空調ユニットの施工方法によれば、ファン用開口部が予め形成された前面板を床面に固定された下部継手に取り付けられた下部アダプタに係止しているので、開口部を形成する大工工事が不要になる。したがって、箱型筐体の施工を設備工事で行うことができるので、施工時間と手間を削減できる。また前面板は、横移動させて上昇させるだけで位置決めおよび設置を容易に行うことができるので、施工性が良好になる。
【０００８】
本発明の空調ユニットの施工方法においては、前記空調ユニットは、前記箱型筐体の内部に設けられた上側のファンと、上側の前記ファンと天井側に設置された天井側ダクトとを繋ぐ上部継手と、前記上部継手に上側の前記ファンを固定するための上部アダプタと、をさらに備え、前記前面板の上端部に、貫通孔が形成された天板を設置する天板設置工程と、天井側ダクトの先端部を、前記貫通孔から前記箱型筐体に挿入するとともに前記ファン用開口部の上側に形成された上側ファン用開口部から外側に引き出し、前記天井側ダクトの先端部に前記上部継手を連結するとともに前記上部継手に前記上部アダプタを取り付ける上部継手および上部アダプタ取付工程と、前記天井側ダクトを引き上げて前記上部継手と前記上部アダプタとを前記箱型筐体内に引き込み、前記上部アダプタの前端部に上向きに形成された鉤部を、上側の前記ファン用開口部の上端縁に係止させて固定する上部アダプタ設置工程と、上側の前記ファンを、前記上側ファン用開口部から挿入して前記上部アダプタに装着する上部ファン装着工程と、をさらに備えたことが好ましい。このような方法によれば、上部アダプタは、設置された前面板に係止するだけで、位置決めおよび設置を容易に行うことができる。また、箱型筐体の内部で上下多段にファンが設けられるので、空調空気を多くの部屋に供給できる。
【０００９】
前記課題を解決するための第二の本発明は、フロアレベルに形成された空調室に設置される空調ユニットである。かかる空調ユニットは、箱型筐体と、前記箱型筐体の内部に設置されるファンと、前記ファンと床下に設置された床下ダクトを繋ぐ下部継手と、を備えている。前記箱型筐体の前面板は、前記ファンを装着するためのファン用開口部を有し、前記下部継手は、前記空調室の床面に形成された貫通孔を貫通して前記床下ダクトに連結されている。前記下部継手の上端部に、前記ファンを設置するための下部アダプタが取り付けられ、前記下部アダプタの前端部には、下向きの鉤部が形成され、前記鉤部は前記ファン用開口部の下端縁に係止されている。そして、前記前面板の下端と前記空調室の床面との間には、スリットが形成されていることを特徴とする。
【００１０】
本発明の空調ユニットによれば、前記施工方法と同様に、ファン用開口部を備えた前面板を床面に固定された下部継手に取り付けられた下部アダプタに係止しているので、開口部を形成する大工工事が不要になる。したがって、箱型筐体の施工を設備工事で行うことができるので、施工時間と手間を大幅に削減できる。また前面板は、横移動させて上昇させるだけで位置決めおよび設置を容易に行うことができるので、施工性が良好になる。また、前面板の下端と空調室の床面との間には、スリットが形成されているので、空調室内と箱型筐体内の気温差を小さくすることができる。
【００１１】
本発明の空調ユニットにおいては、前記箱型筐体の内部に設けられた上側のファンと、上側の前記ファンと天井側に設置された天井側ダクトを繋ぐ上部継手と、前記上部継手に上側の前記ファンを固定するための上部アダプタと、をさらに備え、前記前面板は、前記ファン用開口部の上側に形成された上側ファン用開口部をさらに有し、前記上部アダプタの前端部には、上向きの鉤部が形成され、上向きの前記鉤部は前記上側ファン用開口部の上端縁に係止されているものが好ましい。このような構成によれば、上部アダプタは、設置された前面板の上側ファン用開口部の上端縁に係止するだけで、位置決めおよび設置を容易に行うことができる。
【００１２】
前記課題を解決するための第三の本発明は、請求項３または請求項４に記載の空調ユニットを複数備えた空調室であって、前記前面板が互いに対向して平行となるように、前記箱型筐体が配置されていることを特徴とする。本発明の空調室によれば、前記空調ユニットと同様の作用効果の他に、箱型筐体が向かい合うことで、同じ高さに複数のファンを設置できるので、同じ温度の空気を複数の部屋に供給できる。したがって、供給する空調空気の温度ムラ（空調ムラ）を小さくすることができる。
【発明の効果】
【００１３】
本発明によれば、施工手間と時間を削減でき、施工性を良好にすることができる。
【図面の簡単な説明】
【００１４】
【図１】本発明の実施形態に係る空調ユニットを用いた空調システムを備えた建物の全体構成図である。
【図２】本発明の実施形態に係る空調ユニットが設けられた空調室を正面方向から示した断面図である。
【図３】本発明の実施形態に係る空調ユニットが設けられた空調室を側面方向から示した断面図である。
【図４】本発明の実施形態に係る空調ユニットが設けられた空調室を平面方向から示した断面図である。
【図５】本発明の実施形態に係る空調ユニットを示した斜視図である。
【図６】本発明の実施形態に係る空調ユニットの施工方法の下部継手設置工程を説明するための図であって、（ａ）は空調室の床面にフランジ部を設置した状態を示した斜視図、（ｂ）はフランジ部に筒状部を取り付けた状態を示した斜視図、（ｃ）はフランジ部と筒状部との接続部にコーキング処理とテープ貼付を行った状態を示した斜視図である。
【図７】本発明の実施形態に係る空調ユニットの施工方法の下部アダプタ設置工程を説明するための図であって、（ａ）は下部アダプタを下部継手に装着した状態を示した斜視図、（ｂ）はテープを貼り付けた状態を示した斜視図である。
【図８】本発明の実施形態に係る空調ユニットの施工方法の下部アダプタ設置工程を示した全体斜視図である。
【図９】本発明の実施形態に係る空調ユニットの施工方法の前面板設置工程を説明するための図であって、（ａ）は前面板を水平方向に移動させる状態を示した断面図、（ｂ）は前面板を上方向に移動させる状態を示した断面図である。
【図１０】本発明の実施形態に係る空調ユニットの施工方法の天板設置工程を説明するための断面図である。
【図１１】本発明の実施形態に係る空調ユニットの施工方法の上部継手設置工程を説明するための図であって、（ａ）は天井側ダクトに上部継手と上部アダプタを取り付ける状態を示した断面図、（ｂ）は上部継手と上部アダプタを箱型筐体の内部に移動させる状態を示した断面図、（ｃ）は上部継手と上部アダプタを上方向に移動させて上部アダプタをファン用開口部に係止させる状態を示した断面図である。
【図１２】本発明の実施形態に係る空調ユニットの施工方法のファン装着工程を説明するための断面図である。
【発明を実施するための形態】
【００１５】
本発明の実施形態に係る空調ユニットの施工方法、空調ユニットおよび空調室について、図面を参照しながら詳細に説明する。本実施形態では、かかる空調ユニットおよび空調室を、二階建ての住宅に適用した場合を例に挙げて説明する。
【００１６】
図１に示すように、空調ユニット１が設置される建物は一戸建住宅２であって、屋根断熱パネルが気密に設置された断熱屋根３と、外壁断熱パネルが気密に設置された断熱壁４とを備えた外周部充填断熱構造となっている。また、一階の床下には断熱材が敷設されており、断熱床５が形成されている。二階の天井６の上方には小屋裏空間７が形成されている。なお、図１では、一階の居室８，８と、天井裏空間９と、二階の居室１０，１０と、廊下１１と、空調室１２とが図示されている。
【００１７】
本実施形態では、小屋裏空間７に換気ユニット１５が設けられている。換気ユニット１５は、熱交換器１６を備えている。熱交換器１６は、建物内から外部に排出される排出空気の熱エネルギーを、外部から建物内に吸入される吸入空気に移動させる。熱交換器１６は、廊下１１から吸気した排気から熱エネルギーを回収し、外部から吸引した空気に移して空調室１２に戻す。
【００１８】
次に、空調ユニット１の構成を説明する。空調ユニット１は、二階のフロアレベルに形成された空調室１２に設置されている。図２乃至図４に示すように、空調ユニット１は、箱型筐体２０と上下のファン３０と継手５０とアダプタ５５とを備えている。
【００１９】
箱型筐体２０は、図５にも示すように、空調室１２の側壁１２ａを背にして形成されており、前面板２１と天板２２と側面板２３とを備えている。前面板２１は、木製の矩形板材からなる。前面板２１は、側壁１２ａと所定間隔をあけて配置され、側壁１２ａと平行な垂直方向に広がっている。前面板２１には、ファン３０を取り付けるためのファン用開口部２４が形成されている。ファン用開口部２４は、矩形形状を呈しており、上下多段に形成されている。ファン用開口部２４は、上下で区別する場合に、下側ファン用開口部２４ａと上側ファン用開口部２４ｂと称する。下側ファン用開口部２４ａは、請求項１でのファン用開口部に相当する。下側ファン用開口部２４ａと上側ファン用開口部２４ｂは、それぞれ左右に二列形成されており、前面板２１には、４つのファン用開口部２４が形成されている。前面板２１の下端部は、空調室１２の床面１２ｂと間隔をあけて配置されており、前面板２１と床面１２ｂとの間に横方向に長いスリット２５が形成されている。スリット２５を介して、空調室１２の内部空間と箱型筐体２０の内部空間とが連通している。
【００２０】
天板２２は、木製の矩形板材からなり、継手５０が貫通する貫通孔２６が形成されている。貫通孔２６は、円形形状を呈し、ファン用開口部２４の上方に対応する位置の二か所に配置されている。天板２２は、前面板２１の上端部から空調室１２の側壁１２ａに向かって広がっており、水平に配置されている。側面板２３は、木製の矩形板材からなり、箱型筐体２０の側面を塞ぐ。側面板２３は、前面板２１の側端部から空調室１２の側壁１２ａに向かって広がり、垂直に配置されている。側面板２３の下端部は、床面１２ｂに接地している。
【００２１】
ファン３０は、図２および図３に示すように、空調室１２内の空調空気を吸気して、ダクト４０，４３を介して各居室８，１０（図１参照）に供給する。ファン３０は、ボックス形状を呈しており、側面のうちの一面に吸気部３１ａが形成され、側面に直交する面に送風部３１ｂが形成されている。つまり、ファン３０は、吸気部３１ａから水平方向に吸気し、送風部３１ｂから、吸気方向と直交する方向に送風する。ファン３０は、ファン用開口部２４から箱型筐体２０内に挿入され固定されている。吸気部３１ａの周縁には、鍔部３２が形成されており、鍔部３２がファン用開口部２４の周縁部に当接している。ファン３０は、下側ファン用開口部２４ａと上側ファン用開口部２４ｂのそれぞれに装着されている。下側ファン用開口部２４ａに装着された下側のファン３０は、送風部３１ｂが下方に向くように配置されている。下側のファン３０は、継手５０を介して、床下ダクト４０に接続されている。床下ダクト４０は、天井裏空間９に配設され、一階の各居室８の天井に設けられた送風口に接続されている。上側ファン用開口部２４ｂに装着された上側のファン３０は、送風部３１ｂが上方に向くように配置されている。上側のファン３０は、継手５０を介して、天井側ダクト４３に接続されている。天井側ダクト４３は、小屋裏空間７に配設され、二階の各居室１０の天井に設けられた送風口に接続されている。
【００２２】
継手５０は、下側のファン３０と床下ダクト４０、または上側のファン３０と天井側ダクト４３とを繋ぐ部位である。継手５０は、上下のファン３０にそれぞれ設けられており、上下で区別する場合には、下部継手５０ａと上部継手５０ｂと称する。継手５０は、フランジ部５１と筒状部５２とを備えている。フランジ部５１は、筒状部５２の胴部から軸方向に直交する平面に沿って外側に広がっている。つまり、筒状部５２がフランジ部５１に交差して延在している。フランジ部５１と筒状部５２との連結部分には、コーキング材が周設されており、気密性が確保されている。下部継手５０ａのフランジ部５１は、空調室１２の床面１２ｂに形成された貫通孔１７（図４参照）を囲うように、床面１２ｂ上に設置される。貫通孔１７には、下部継手５０ａの筒状部５２が貫通する。上部継手５０ｂのフランジ部５１は、天板２２の貫通孔２６を囲うように、天板２２上に設置される。なお、図４に示すように、下部の貫通孔１７と、上部の貫通孔２６とは、箱型筐体２０の奥行方向に沿ってオフセットして配置されている。
【００２３】
筒状部５２は、図２および図３に示すように、フランジ部５１の上下にそれぞれ延在している。筒状部５２の一端部には、床下ダクト４０または天井側ダクト４３が接続される。筒状部５２の一端部の先端部分は、基端部側より縮径しており、床下ダクト４０または天井側ダクト４３の内側に挿入されている。
【００２４】
下部継手５０ａの筒状部５２の下端部（一端部）は、貫通孔１７を貫通して、下方の天井裏空間９に延出している。筒状部５２の下端部は、床下ダクト４０の上端部に挿入されている。筒状部５２の下端部の外径寸法は、床下ダクト４０の上端部の内径寸法より小さくなっており、筒状部５２の外周面と床下ダクト４０の内周面との隙間には、断熱材が設けられている。下部継手５０ａの筒状部５２の上端部（他端部）は、箱型筐体２０の内部で上方に突出している。
【００２５】
上部継手５０ｂの筒状部５２の上端部（一端部）は、天板２２の貫通孔２６から上方に延出している。筒状部５２の上端部は、天井側ダクト４３の下端部に挿入されている。筒状部５２の上端部の外径寸法は、天井側ダクト４３の下端部の内径寸法より小さくなっており、筒状部５２の外周面と天井側ダクト４３の内周面との隙間には、断熱材が設けられている。上部継手５０ｂの筒状部５２の下端部（他端部）は、天板２２の貫通孔２６を貫通して、箱型筐体２０の内部で下方に突出している。
【００２６】
図７の（ａ）に示すように、筒状部５２の他端部には、アダプタ５５が接続される。アダプタ５５は、ファン３０を継手５０に接続するとともに、ファン３０をファン用開口部２４に装着する際にガイドの役目を果たす部材である。アダプタ５５は、装着板部５６と連結筒部５７とを備えている。装着板部５６は、ファン３０の送風部３１ｂを備えた面が接する矩形の水平面５８を有している。水平面５８の内側には、連結筒部５７に繋がる送風口５９が形成されている。水平面５８の周縁部の四辺のうち、ファン用開口部２４に接する一辺には、ファン用開口部２４の周縁部に係止される鉤部５９が形成されている。鉤部５９は、連結筒部５７の延在方向に向かって断面Ｌ字状に屈曲している。水平面５８の周縁部の四辺のうち、鉤部５９がない他の三辺には、ファン３０を囲うように三方壁６０が形成されている。三方壁６０は、一対のガイド壁６１ａ，６１ａとストッパ壁６１ｂとを備えている。ガイド壁６１ａは、ファン３０の挿入方向に沿って延在しており、ファン３０を囲うように互いに平行配置されている。ストッパ壁６１ｂは、ファン用開口部２４側から見て奥側正面に位置している。ストッパ壁６１ｂは、ガイド壁６１ａよりも立上り寸法が大きい。ファン３０をアダプタ５５に装着する際には、ファン３０の両側面を一対のガイド壁６１ａ，６１ａに沿わせてスライドさせることでファン３０がファン用開口部２４から真っ直ぐに挿入され、ストッパ壁６１ｂに当接することでファン３０の設置位置に位置決めされる。
【００２７】
連結筒部５７は、水平面５８と直交して立ち上がっており、内側の空間が送風口５８ａに連続している。連結筒部５７の先端部の外径寸法は、筒状部５２の他端部の内径寸法より小さくなっており、連結筒部５７の先端部が筒状部５２の他端部の内側に嵌合挿入されている。
【００２８】
アダプタ５５は、上下の継手５０にそれぞれ取り付けられており、上下で区別する場合には、下部アダプタ５５ａと上部アダプタ５５ｂと称する。
【００２９】
下部アダプタ５５ａでは、連結筒部５７が装着板部５６から下方に向かって延在しており、ファン３０が装着板部５６の上側に取り付けられている。鉤部５９は、下方に屈曲しており、下側ファン用開口部２４ａの下辺部に係止されている。三方壁６０は、上側に立ち上がっている。連結筒部５７の下端部は、下部継手５０ａの筒状部５２の上端部（他端部）の内側に嵌合されている。
【００３０】
上部アダプタ５５ｂでは、下部アダプタ５５ａとは上下逆転しており、連結筒部５７が装着板部５６から上方に向かって延在している。ファン３０が装着板部５６の下側に取り付けられている。鉤部５９は、上方に屈曲しており、上側ファン用開口部２４ｂの上辺部に係止されている。三方壁６０は、下側に垂れ下がっている。連結筒部５７の上端部は、上部継手５０ｂの筒状部５２の下端部（他端部）の内側に嵌合されている。
【００３１】
なお、本実施形態では、上部アダプタ５５ｂを、上部継手５０ｂを介して天井側ダクト４３に連結しているが、上部継手５０ｂを用いずに、上部アダプタ５５ｂの連結筒部５７を直接天井側ダクト４３に連結してもよい。この場合、連結筒部５７が天板２２の貫通孔２６を通過する。
【００３２】
本実施形態に係る空調室１２は、図２および図４に示すように、前記構成の空調ユニット１を二つ備えている。空調ユニット１，１は、それぞれの前面板２１，２１同士が互いに対向して平行となるように、箱型筐体２０，２０が配置されている。箱型筐体２０は、前面板２１が空調室１２の入り口１２ｃから奥側に向かう方向に沿うように配置されている。つまり、空調ユニット１，１は、入り口１２ｃから奥に向かって見たときに、左右両側に配置されている。箱型筐体２０，２０間の距離は、作業員が空調ユニット１のメンテナンスを行える幅寸法を確保できるようになっている。空調室１２の内部には、空調ユニット１の上方に空調機１８が設置されている。空調機１８は、図示しない室外機と接続されており、空調室１２内の空気を冷却または温熱する。
【００３３】
図３に示すように、空調室１２の上部は、廊下１１の上方に張り出している。空調室１２の張出部分と廊下１１とは、メッシュ状の天井材１９にて仕切られており、空気が連通可能になっている。
【００３４】
次に本実施形態に係る空調ユニット１の施工方法を説明する。かかる施工方法は、下部継手設置工程と、下部アダプタ設置工程と、前面板設置工程と、天板設置工程と、側面板設置工程と、上部継手および上部アダプタ取付工程と、上部アダプタ設置工程と、ファン装着工程と、を備えている。
【００３５】
下部継手設置工程は、空調室１２の床面１２ｂに形成された貫通孔２６に、下部継手５０ａを挿入し、下部継手５０ａを床下ダクト４０に連結する工程である。下部継手設置工程では、図６の（ａ）に示すように、まず、床面１２ｂに貫通孔１７を形成し、貫通孔２６の周縁部に、フランジ部５１を載置してネジ止めする。フランジ部５１の周縁部には、床面１２ｂに跨ってソフトテープ（図示せず）を貼り付けている、その後、図６の（ｂ）に示すように、フランジ部５１の上方から貫通孔１７へと筒状部５２を挿入して、貫通孔１７の下方の床下ダクト４０の上端部に、筒状部５２の下端部を嵌合させる。このとき、筒状部５２の下端部は、床下ダクト４０の上端部よりも小径になっているので、床下ダクト４０と下部継手５０ａとの接続を容易に行える。そして、フランジ部５１と筒状部５２との交差部分にコーキング材を敷設して、気密性を確保している。これによって、空調室１２と天井裏空間９とが気密の状態で区画されている。さらに、図６の（ｃ）に示すように、フランジ部５１と筒状部５２との交差部分を覆うように粘着性のソフトテープ６３を貼り付けて、フランジ部５１と筒状部５２とを固定する。ソフトテープ６３は、筒状部５２の全周に渡って貼り付けるのが好ましい。さらに、ソフトテープ６３の上からダクトテープ６４を巻き付け、気密性をより一層高める。ダクトテープ６４は、フランジ部５１の外周縁部にも貼り付ける（図７参照）。
【００３６】
下部アダプタ設置工程は、下部継手５０ａの上端部に下部アダプタ５５ａを取り付ける工程である。下部アダプタ設置工程では、図７の（ａ）に示すように、下部アダプタ５５ａの連結筒部５７の下端部を、下部継手５０ａの筒状部５２の上端部の内側に嵌合する。このとき、下向きの鉤部５９が空調室１２の中央側に配置されるようにする。その後、図７の（ｂ）に示すように、下部アダプタ５５ａの連結筒部５７と下部継手５０ａの筒状部５２との境目部分を覆うように、ダクトテープ６４を貼り付ける。これによって、下部継手５０ａと下部アダプタ５５ａとが気密状態で連結される。図８に示すように、下部継手５０ａと下部アダプタ５５ａは、空調室１２の床面１２ｂの左右両側で手前側と奥側の前後二箇所ずつ設けられている。左側の下部継手５０ａと下部アダプタ５５ａと、右側の下部継手５０ａと下部アダプタ５５ａとは、前後方向にオフセットして配置されている。なお、下部アダプタ設置工程に前後して、左右の下部継手５０ａと下部アダプタ５５ａの奥側に、箱型筐体２０の側面板２３のうち、奥側の側面板２３を設置する。側面板２３は、空調室１２の奥側の側壁１２ａに沿わせて設置する。
【００３７】
前面板設置工程は、ファン用開口部２４が予め形成された前面板２１を下部アダプタ５５ａに係止させる工程である。前面板設置工程では、図９の（ａ）に示すように、下部アダプタ５５ａの前端部の下向きの鉤部５９が、前面板２１の下側ファン用開口部２４ａ内を相対的に通過するように、前面板２１を水平移動させる。このとき、前面板２１の下側ファン用開口部２４ａの下端縁（下側の枠部）２１ａは、鉤部５９の下側を通過して、装着板部５６の下方に入り込む。その後、図９の（ｂ）に示すように、前面板２１の下側ファン用開口部２４ａの下端縁２１ａが、装着板部５６の下面と鉤部５９の側面に当接するように、前面板２１を上昇させる。すると、下端縁２１ａが鉤部５９に係止されて、前面板２１が外側に移動できなくなり位置決めされる。そして、前面板２１を奥側の側面板２３に固定する。前面板２１の下方には、床面１２ｂとの間にスリット２５が形成される。このように、前面板設置工程では、前面板２１を水平移動させた後に上昇させるだけで、前面板２１を所定位置に位置決めできるとともに、前面板２１の下部にスリット２５を形成することができる。
【００３８】
天板設置工程および側面板設置工程は、箱型筐体２０の天板２２と側面板２３を設置する工程である。天板設置工程および側面板設置工程では、図１０に示すように、前面板２１の上端部に天板２２を取り付けるとともに、手前側の側面板（図示せず）を取り付ける。天板２２は、前面板２１の上端部と、空調室１２の側壁１２ａ間に掛け渡して、ネジ等で固定する。手前側の側面板２３は、床面１２ｂに設置するとともに、前面板２１、天板２２および側壁１２ａに当接させ、ネジ等で固定する。天板設置工程と側面板設置工程は同時に行ってもよいし、いずれかを先行して行ってもよい。
【００３９】
上部継手および上部アダプタ取付工程は、天井側ダクトの先端部に上部継手５０ｂと上部アダプタ５５ｂを取り付ける工程である。上部継手および上部アダプタ設置工程では、図１１の（ａ）に示すように、天井側ダクト４３の先端部を、天板２２の貫通孔２６から箱型筐体２０内に挿入するとともに上側ファン用開口部２４ｂから外側に引き出す。ここで、天板２２上には予めフランジ部５１を設置しておき、天井側ダクト４３は、フランジ部５１の孔と貫通孔２６に挿通させる。そして、天井側ダクト４３の先端に、上部継手５０ｂの筒状部５２の一端部を挿入するとともに、筒状部５２の他端部に、上部アダプタ５５ｂの連結筒部５７の先端部（箱型筐体２０に設置した状態で上端部となる）を挿入する。このとき、鉤部５９が、上側ファン用開口部２４ｂの上端縁寄りに位置するように上部アダプタ５５ｂを取り付ける。天井側ダクト４３と上部継手５０ｂとのつなぎ目部分と、上部継手５０ｂと上部アダプタ５５ｂとのつなぎ目部分には、ダクトテープ（図示せず）を貼り付けて、気密状態で接続する。
【００４０】
上部アダプタ設置工程は、上部アダプタ５５ｂを箱型筐体２０に固定する工程である。上部アダプタ設置工程では、図１１の（ｂ）に示すように、天井側ダクト４３を引き上げ、上部継手５０ｂと上部アダプタ５５ｂとを、箱型筐体２０内に挿入する。このとき、上部アダプタ５５ｂの鉤部５９は、上側ファン用開口部２４ｂの外側に位置し、上向きに屈曲している。図１１の（ｃ）に示すように、天井側ダクト４３をさらに引き上げ、上向きの鉤部５９を上側ファン用開口部２４ｂの上端縁２１ｂに係止させる。すると、上部アダプタ５５ｂが上端縁２１ｂに係止されて、前面板２１に対する位置決めが為される。そして、鉤部５９を上端縁２１ｂにネジ止めする。さらに、上部継手５０ｂの筒状部５２をフランジ部５１に固定するとともに、フランジ部５１と筒状部５２との交差部分にコーキング材（図示せず）を敷設する。さらに、コーキング材を覆うようにダクトテープ（図示せず）を貼り付ける。
【００４１】
ファン装着工程は、上下のファン３０，３０を各アダプタ５５に装着する工程である。なお、ファン装着工程は、請求項における上部ファン装着工程も含む。ファン装着工程では、図１２に示すように、下側のファン３０を、下側ファン用開口部２４ａから挿入して下部アダプタ５５ａに装着する。具体的には、下側のファン３０を、下側ファン用開口部２４ａの下端部から突出した下向きの鉤部５９の上部から、一対のガイド壁６１ａ，６１ａ間に差し込む。そして、ファン３０をガイド壁６１ａに沿わせながら、下側ファン用開口部２４ａの奥に押し込む。このとき、ファン３０は、ガイド壁６１ａに案内されて直線状にスライド挿入され、装着位置でストッパ壁６１ｂに当接する。装着位置では、ファン３０の外側端部の外周の鍔部が、下側ファン用開口部２４ａの外周縁部に当接する。
【００４２】
一方、上側のファン３０は、上側ファン用開口部２４ｂから挿入して上部アダプタ５５ｂに装着する（上部アダプタ設置工程）。具体的には、上側のファン３０を、上側ファン用開口部２４ｂの上端部から突出した上向きの鉤部５９の下部から、一対のガイド壁６１ａ，６１ａ間に差し込む。そして、ファン３０をガイド壁６１ａに沿わせながら、上側ファン用開口部２４ｂの奥に押し込む。このとき、ファン３０は、ガイド壁６１ａに案内されて直線状にスライド挿入され、装着位置でストッパ壁６１ｂに当接する。装着位置では、ファン３０の外側端部の外周の鍔部が、上側ファン用開口部２４ｂの外周縁部に当接する。
【００４３】
このようにファン装着工程では、ファン３０は、アダプタ５５に沿って容易に装着できる。さらに、ファン３０が装着された位置で、ファン３０の送風部３１ｂが、アダプタ５５の連結筒部５７に対向して、空調空気の送風が円滑に行える。
【００４４】
以上の工程で、施工が完了し、図２に示すように、空調ユニット１が構築される。本実施形態に係る空調ユニット１の施工方法および空調ユニット１によれば、ファン用開口部２４が予め形成された前面板２１を床面に固定された下部継手に取り付けられた下部アダプタ５５ａに係止しているので、ファン３０を装着する開口部を形成する大工工事が不要になる。したがって、箱型筐体の施工を設備工事で行うことができるので、施工時間と手間を削減できる。また前面板２１は、押し込んで持ち上げるだけで位置決めおよび設置を容易に行うことができるので、施工性が良好になる。さらに、上部アダプタ５５ｂは、設置された前面板２１に係止するだけで、位置決めおよび設置を容易に行うことができる。
【００４５】
また、本実施形態に係る空調ユニット１によれば、前面板２１の下端と空調室１２の床面１２ｂとの間には、スリット２５が形成されているので、空調室１２内と箱型筐体２０内の空気を流通させることができる。したがって、空調室１２内と箱型筐体２０内の気温差を小さくすることができるので、結露を防止することができる。さらに、下部継手５０ａは、空調室１２と下方の天井裏空間９とで気密性を確保できるので、空調室１２内の空調効率の低下を抑制できる。
【００４６】
さらに、本実施形態に係る空調室１２によれば、箱型筐体２０が向かい合うように空調ユニット１が複数設けられていることで、同じ高さに複数のファン３０を設置できる。よって同じ高さの層の空気を複数の部屋に供給できる。したがって、供給する空調空気の温度ムラ（空調ムラ）を小さくすることができる。
【００４７】
本実施形態では、小屋裏空間７に熱交換器１６を備えた換気ユニット１５が設けられているので、空調空気の熱エネルギー（夏季においては冷気、冬季においては暖気）が建物の外部に放出され難い。したがって、エネルギーロスが少ない効率的な空調を行いつつ、クリーンな空調空気を居室に供給することができる。
【００４８】
以上、本発明を実施するための形態について説明したが、本発明は前記実施形態に限定されず、本発明の趣旨を逸脱しない範囲で適宜設計変更が可能である。たとえば、前記実施形態では、継手５０は、フランジ部５１と筒状部５２を別体で形成して施工現場にて組み合わせることで構成されているが、これに限定されるものではない。予めフランジ部と筒状部とを工場等で固定していてもよいし、フランジ部と筒状部とが一体成型された継手であってもよい。
【００４９】
また、前記実施形態では、箱型筐体２０の上下に二つずつのファン用開口部２４が形成されているが、その段数および個数は適宜変更可能である。たとえば、上下二段でさらに多数の３つ以上ずつファン用開口部２４を形成してもよい。このようにすれば、空調ムラをさらに小さくすることができる。
【符号の説明】
【００５０】
１      空調ユニット
１２    空調室
１６ｂ  床面
１７    貫通孔
２０    箱型筐体
２１    前面板
２１ａ  下端縁
２１ｂ  上端縁
２２    天板
２３    側面板
２４    ファン用開口部
２４ａ  下側ファン用開口部
２４ｂ  上側ファン用開口部
２５    スリット
２６    貫通孔
３０    ファン
４０    床下ダクト
４３    天井側ダクト
５０    継手
５０ａ  下部継手
５０ｂ  上部継手
５１    フランジ部
５２    筒状部
５５    アダプタ
５５ａ  下部アダプタ
５５ｂ  上部アダプタ
５６    装着板部
５７    連結筒部
５８    水平面
５９    鉤部
６０    三方壁
６１ａ  ガイド壁
６１ｂ  ストッパ壁
【要約】      （修正有）【課題】施工手間と時間を削減でき、施工性が良好である空調ユニットの施工方法を提供する。【解決手段】空調室１２の床面１２ｂに形成された貫通孔１７に下部継手５０ａを挿入し、下部継手５０ａを床下ダクト４０に連結する下部継手設置工程と、下部継手５０ａの上端部に、下部アダプタ５５ａを取り付ける下部アダプタ設置工程と、ファン３０を装着するためのファン用開口部２４が予め形成された箱型筐体２０の前面板２１を、下部アダプタ５５ａの前端部に下向きに形成された鉤部がファン用開口部２４を相対的に通過するように横移動させた後に、ファン用開口部２４の下端縁２１ａが鉤部に係止されるように上昇させる前面板設置工程と、ファン３０を、ファン用開口部２４から挿入して下部アダプタ５５ａに装着するファン装着工程と、を備えたことを特徴とする。【選択図】図２【図１】
0006782343.tif 000002
【図２】
0006782343.tif 000003
【図３】
0006782343.tif 000004
【図４】
0006782343.tif 000005
【図５】
0006782343.tif 000006
【図６】
0006782343.tif 000007
【図７】
0006782343.tif 000008
【図８】
0006782343.tif 000009
【図９】
0006782343.tif 000010
【図１０】
0006782343.tif 000011
【図１１】
0006782343.tif 000012
【図１２】
0006782343.tif 000013